(57)【要約】【課題】これまでに知られているものよりも消毒がより容易であり、したがってシースを必要としないカテーテルを提供すること。【解決手段】外部から走査し、人体から組織サンプルを抽出するために使用することができる、１つまたは複数の任意選択で走査する超音波トランスデューサおよび針ガイドを備える人体内に挿入するためのカテーテル。前記カテーテルは、２つの実質上半円形の部品２、３を備え、ロッド４が、前記部品の間に挿入され、端部にトランスデューサ７を備え、前記２つの半円形の部品２、３が、前記２つの半円形の部品２、３の上を取り巻く外側チューブ５によって包囲されており、前記半円形の部品２の一方の表面が、組織サンプルを抽出するための可撓性の針１２を挿入するための長手方向溝６を備える。結果として得られるカテーテルは、極めて使用者に優しく、消毒および殺菌の目的のための分解が容易である。【選択図】      図１
2004261576.tif 000002
【特許請求の範囲】
【請求項１】
１つまたは複数の任意選択で走査する超音波トランスデューサならびに外部から操作される外科器具を備える人体内に挿入するためのカテーテルであって、実質上完全に円形のまたは部分的に円形の断面の１つまたは複数の部品（２、３）を備え、ロッド（４）が、前記部品の間に挿入され、端部に超音波トランスデューサ（７）を備え、前記完全にまたは部分的に円形の部品（２、３）が、前記完全にまたは部分的に円形の部品の上を取り巻く外側チューブ（５）によって包囲され、前記完全にまたは部分的に円形の部品のうちの少なくとも１つ（２）の表面が、外科器具の挿入のための長手方向溝（６）を備えることを特徴とするカテーテル。
【請求項２】
前記外科器具が、物質の導入のためまたは組織サンプルの抽出のための可撓性の針（１２）によって形成されることを特徴とする請求項１に記載のカテーテル。
【請求項３】
前記完全にまたは部分的に円形の部品のうちの少なくとも１つ（２）の表面内の長手方向溝（６）が、それを包囲する外側チューブ（５）よりも長いことを特徴とする請求項１に記載のカテーテル。
【請求項４】
前記完全にまたは部分的に円形の部品のうちの少なくとも１つ（２）の表面内の前記長手方向溝（６）が、可撓性の針（１２）が前記外側チューブ（５）のすぐ後方に延びるような形状にされていることを特徴とする請求項２に記載のカテーテル。
【請求項５】
前記完全にまたは部分的に円形の部品のうちの少なくとも１つ（２）の表面内の前記長手方向溝（６）が、前記外側チューブ（５）のすぐ後方の前記円形部品（２）の表面内を終点とすることを特徴とする請求項１から４のいずれか一項に記載のカテーテル。
【請求項６】
前記部分的に円形の部品（２、３）が、当接表面に沿っているため、互いにロックし合うことができることを特徴とする請求項１から５のうちの１つまたは複数の項に記載のカテーテル。
【請求項７】
前記超音波トランスデューサ（７）を備える前記ロッド（４）が、前記完全にまたは部分的に円形の部品（２、３）に対して回転することができることを特徴とする請求項１から６のうちの１つまたは複数の項に記載のカテーテル。
【請求項８】
Ｓ字結腸鏡とともに使用される請求項１から７のうちの１つまたは複数の項に記載のカテーテル。
【発明の詳細な説明】
【技術分野】
【０００１】
本発明は、１つまたは複数の任意選択で走査する超音波トランスデューサならびに外部から操作される外科器具を備える、人体内に挿入するためのカテーテルに関する。
【背景技術】
【０００２】
人体内に挿入して組織サンプルを抽出するための、多くのカテーテルが知られている。これらの知られているカテーテルの多くは、使用の際に清浄し、消毒することが困難であるという欠点を負っている。
【０００３】
デンマーク国特許出願第１２／９８号によると、無菌のシースで被覆されたカテーテルの残りの部分に対して別個に針ガイドを形成することによって、この問題点を解決することが企図された。そのとき、針ガイドは、サンプリング中、シースの外側のカテーテルの残りの部分に固定され、したがって針が前記シースを貫通する必要はない。その結果、使用の際にカテーテルを消毒する必要がなくなる。しかし、このようなシースを避けることに、多大な関心が寄せられている。
【０００４】
【特許文献１】デンマーク国特許出願第１２／９８号
【発明の開示】
【発明が解決しようとする課題】
【０００５】
したがって、本発明の目的は、これまでに知られているものよりも消毒が容易であり、したがってこのようなシースを必要としない上記のタイプのカテーテルを提供することである。
【課題を解決するための手段】
【０００６】
上記のタイプのカテーテルは、本発明によると、実質上完全に円形のまたは部分的に円形の断面の１つまたは複数の部品を備え、ロッドが、前記部品の間に挿入され、端部に超音波トランスデューサを備え、前記完全にまたは部分的に円形の部品が、完全にまたは部分的に円形の部品を取り巻く外側チューブによって包囲され、完全にまたは部分的に円形の部品のうちの少なくとも１つの表面が、外科器具の挿入のための長手方向溝を備える。
【０００７】
その結果、カテーテルは、分離された状態で清浄および消毒が容易である極めて少ない部品しか備えない。
【０００８】
また、外科器具は、本発明によると、物質の導入のためのまたは組織サンプルを抽出するための可撓性の針によって形成されている。
【０００９】
さらに、円形部品の表面内の長手方向溝は、本発明によると、それを包囲する外側チューブよりも長い。
【００１０】
また、円形部品の表面内の長手方向溝は、本発明によると、可撓性の針が外側のチューブのすぐ後方に、好ましくは、前記外側を包囲するチューブのすぐ後方の前記円形部品の表面内を終点とする円形部品の表面内の前記溝の傍に配置されるように形成される。
【００１１】
本発明を添付の図面を参照して以下で詳細に説明する。
【発明を実施するための最良の形態】
【００１２】
図１は、人体内に挿入するための本発明によるカテーテルを示している。カテーテルは、実質上完全に円形のまたは部分的に円形の断面の１つまたは複数の部品２、３を備え、前記部品は、好ましくは、２つのほぼ半円形の部品である。ロッド４が、これらの部品２、３の間に挿入され、前記ロッドは突き出した端部に、超音波トランスデューサ７を備える。ロッド４は、２つの半円形部品２、３に関して回転することができる。２つの半円形部品２、３は、前記２つの半円形部品２、３上を取り巻く外側チューブ５を用いてまとめられている。２つの半円形部品の当接表面は、互いに対してロックするように形成されている。長手方向溝６が、半円形部品のうちの少なくとも１つ、２の表面内に設けられており、前記溝は、サンプリングのためのまたは物質の導入のための可撓性の針またはカニューレ１２などの外科用器具の挿入を可能にする。溝６は、外側チューブ５よりも長く、カニューレ１２が、外側チューブ５のすぐ後方に延びるように配置されるような形状にされ、前記溝６は、外側チューブ５のすぐ後方の円形部品２の表面内を終点としている。人体からの組織または液体のサンプルの抽出中、カニューレ１２は、前記カニューレ１２が前記トランスデューサ７によって走査される横方向平面を通過する位置の形態で超音波トランスデューサ７を用いて観測される。観測値は、たとえばスクリーン上に表示することができる。
【００１３】
カテーテルは、液体、好ましくは塩水を導入するためのバルブ８をさらに備える。塩水は、音響インピーダンス整合が試験される組織に常に適用されるようにして、針１２がカテーテルから延び出ている反対端で流出する。
【００１４】
さらに、２つの半円形部品２、３に対してロッド４を固定するために手段９が設けられている。それと同様に、外側チューブ５を半円形部品２、３に対して固定することを可能にするために、ねじ１０を設けることができる。
【００１５】
カテーテルは、たとえば直腸鏡検査に関連してなど、直腸用の目的に使用することができる。
【００１６】
カテーテルは、ステンレス鋼製であり、約６〜２４ｍｍの外直径を呈する。
【００１７】
カテーテルは、任意選択で、プラスチック製またはステンレス鋼とプラスチックの組合せで作製されている。
【００１８】
また、カテーテルは、使用者に優しいと同時に、消毒および殺菌の目的のために分解するのが容易である。
【００１９】
別の実施形態では、いわゆるＳ字結腸鏡または直腸鏡は、プラスチックまたは鋼製のチューブ（図５参照）を備える。プラスチックチューブは、テレスコープをプラスチックチューブ内に導入し、その後周囲の組織を露光することを可能にする光導電体として働く。上方のプラスチックチューブの縁にサンプリング用のカニューレを挿入することが可能である。本発明によるカテーテルは、テレスコープを用いて様々な内臓を検知する際、任意選択で上方のプラスチックチューブ内に挿入することができる。
【００２０】
図６は、カテーテルの別の実施形態を示している。前記実施形態は、図５に示すＳ字結腸鏡に導入される。
【図面の簡単な説明】
【００２１】
【図１】外側チューブを用いてまとめられた半円形断面の２つの部品を備える、本発明によるカテーテルを示す図である。
【図２】半円形断面の２つの部品の外側からの長手方向断面図である。
【図３】外側チューブを示す図である。
【図４】物質の導入用、または組織サンプルの抽出用の針の形態の外科器具を収容しているカテーテルを示す図である。
【図５】Ｓ字結腸鏡を示す図である。
【図６】カテーテルの第２の実施形態を示す図である。
【符号の説明】
【００２２】
２、３  円形部品
４  ロッド
５  外側チューブ
６  長手方向溝
７  トランスデューサ
８  バルブ
９  手段
１０  ねじ
１２  針またはカニューレ
【図１】
2004261576.tif 000003
【図２】
2004261576.tif 000004
【図３】
2004261576.tif 000005
【図４】
2004261576.tif 000006
【図５】
2004261576.tif 000007
【図６】
2004261576.tif 000008
【外国語明細書】
2004261576.tif 000009
2004261576.tif 000010
2004261576.tif 000011
2004261576.tif 000012
2004261576.tif 000013
2004261576.tif 000014
2004261576.tif 000015
2004261576.tif 000016
2004261576.tif 000017
2004261576.tif 000018
2004261576.tif 000019
2004261576.tif 000020
2004261576.tif 000021
2004261576.tif 000022